(57)【要約】【課題】適度な強度を有しつつ、吊下げが簡単で使い勝手がよい商品陳列具を提供する。【解決手段】基板１と、基板の下部に設けられた収容部３と、を備えた吊下げ式の商品陳列具である。基板１には罫線Ｌ１を介して側板２が連設されている。基板１および側板２の一方には、係合穴２１が形成されている。基板１および側板２の他方には、罫線Ｌ１を介して基板１に側板２を折り重ねたときに係合穴２１に押し込まれる係合片１１が形成されている構成とした。【選択図】図１
0003202236.tif 000002
【実用新案登録請求の範囲】
【請求項１】
基板と、前記基板の下部に設けられた収容部と、を備えた吊下げ式の商品陳列具であって、
前記基板の上部に罫線を介して連設された側板と、
前記基板および前記側板の一方に形成された係合穴と、
前記基板および前記側板の他方に形成され、前記罫線を介して前記基板に前記側板を折り重ねたときに前記係合穴に押し込まれる係合片と、を備えたことを特徴とする商品陳列具。
【請求項２】
前記係合片は、前記係合穴よりも幅広に形成されていることを特徴とする請求項１に記載の商品陳列具。
【請求項３】
前記収容部は、蛇腹状に折曲形成した物であり、商品が収容される収容ポケットを備えた収容段が上下に複数段形成されていることを特徴とする請求項１または請求項２に記載の商品陳列具。
【考案の詳細な説明】
【技術分野】
【０００１】
本考案は、吊下げ式の商品陳列具に関する。
【背景技術】
【０００２】
従来、この種の商品陳列具としては、板状の基板と、基板の下部に設けられ、商品の収容ポケットを有する収容部と、を備えたものがある（例えば、特許文献１参照）。基板の上部には、吊下用の紐を通す紐穴が形成されている。
【０００３】
特許文献１の商品陳列具では、店舗の陳列棚の側面や壁等の任意の場所に紐で吊り下げて商品を陳列することができる。
【先行技術文献】
【特許文献】
【０００４】
【特許文献１】特開２０１５−１６００７４号公報
【考案の概要】
【考案が解決しようとする課題】
【０００５】
しかしながら、前記した特許文献１の商品陳列具では、吊下げに紐が必要であるため、紐穴に紐を通す手間やコストが嵩むという課題があった。
そこで、基板に取付穴を形成して、陳列棚のフック等に基板を直接引っ掛けることが考えられる。この場合、強度を高めるために、基板を二枚重ね構成することが好ましいが、基板を単に二枚重ねに構成しただけでは、重ね合わせた部分が開いてしまうため、二枚分の強度を活かすことができない。重ね合わせの状態を保持するために、接着剤で貼り合わせることも考えられるが、手間やコストがかかってしまう。また、店舗における吊下げ陳列の使い勝手も悪いという課題がある。
【０００６】
本考案は、前記した課題を解決し、適度な強度を有しつつ、吊下げ陳列が簡単で使い勝手がよい商品陳列具を提供することを課題とする。
【課題を解決するための手段】
【０００７】
前記課題を解決するため本考案の商品陳列具は、基板と、前記基板の下部に設けられた収容部と、を備えた吊下げ式の商品陳列具である。前記基板には罫線を介して側板が連設されている。前記基板および前記側板の一方には、係合穴が形成されている。前記基板および前記側板の他方には、前記罫線を介して前記基板に前記側板を折り重ねたときに前記係合穴に押し込まれる係合片が形成されている。
【０００８】
本考案の商品陳列具では、吊下げ陳列時に、基板に側板を折り重ねて、係合片を係合穴に押し込むことで、基板と側板とを重ね合わせた状態で結合することができる。これにより、陳列棚のフック等に係合穴を介して基板および側板の両方を直接引っ掛けることができる。したがって、基板および側板の二枚分の強度を活かした吊下げが可能である。また、従来のような吊下げ用の紐や接着剤等を必要としないので、使い勝手がよい。これによって、店舗での負担も軽減される。
【０００９】
前記した商品陳列具において、前記係合片は、前記係合穴よりも幅広に形成されているのがよい。
この構成では、係合穴に係合片を押し込むと、係合片の側縁部が係合穴の穴縁に引っ掛かり、係合片が係合穴に抜け止め保持される。したがって、店舗での吊下げが簡単であり、陳列の手間がかからない。
【００１０】
前記した商品陳列具において、前記収容部は、蛇腹状に折曲形成した物であり、商品が収容される収容ポケットを備えた収容段が上下に複数段形成されているのがよい。
この構成では、多数個の商品を上下方向に並べて陳列・販売することができる吊下げ方式の商品陳列具が得られる。
【考案の効果】
【００１１】
本考案では、適度な強度を有しつつ、吊下げ簡単で使い勝手がよい商品陳列具が得られる。
【図面の簡単な説明】
【００１２】
【図１】本考案の実施形態に係る商品陳列具を示した斜視図である。
【図２】同じく商品陳列具をなすブランクシート示した平面図である。
【図３】同じくブランクシートの部分拡大平面図である。
【図４】（ａ）は収容ポケットを示す部分拡大斜視図、（ｂ）は収容ポケットに商品を収容した様子を示す部分拡大斜視図である。
【図５】陳列状態を示す要部の縦断面図である。
【図６】商品配送時の商品陳列具の箱詰め状態を示す説明図である。
【図７】変形例の商品陳列具をなすブランクシートの一部を示した平面図である。
【考案を実施するための形態】
【００１３】
本考案の実施形態について、適宜図面を参照して説明する。
以下の説明において、「前後」「左右」「上下」の各方向は、本実施形態の商品陳列具を説明する上で便宜上設定したものであり、商品陳列具の構成を限定するものではない。また、「山折り」とは、商品陳列具をなすブランクシートの表面が前方へ突き出す方向への折り曲げであり、「谷折り」とは、ブランクシートの表面が後方へ凹む方向への折り曲げである。
【００１４】
商品陳列具Ｈは、図１に示すように、基板１と、基板１の後面に配置された側板２と、基板１の下部に連設された収容部３と、を備えた吊下げ式の陳列具である。収容部３は、商品Ｐ（図５参照）の収容ポケット５０を有する階段状の複数の収容段５１を備えている。
本実施形態の商品陳列具Ｈは、左右方向の長さよりも上下方向の長さが大きくされた縦長形状である。
【００１５】
商品陳列具Ｈは、図２に示すように、適宜に腰のある一枚の厚紙製のシートを切り抜いたブランクシートＳを各罫線において山折りまたは谷折りすることで形成される。収容部３は、ブランクシートＳを蛇腹状（階段状）に折り曲げることで収容ポケット５０がポケット状に開口されるものである（図１参照）。なお、図２に示すブランクシートＳは表面が見えるように配置されている。
【００１６】
ブランクシートＳの基板１、側板２、および収容部３の収容ポケット５０を仕切る各罫線（折線）は、ブランクシートＳの表面を押し込んで形成された線状の溝である。
なお、罫線には切れ込みを形成してもよい。このようにすると、罫線においてブランクシートＳを折り曲げ易くなる。
【００１７】
基板１は、図２に示すように、左右上端角部をアール状とした横長の長方形に形成されており、上下方向よりも左右方向が大きく形成されている。
基板１の略中央部には係合片１１が形成されている。係合片１１は、図３に示すように、上部が上端部に向けて窄まる流線形状（スプーン形状）に形成されている。係合片１１の左右両側部には、側方へ向けて半円状に膨出する膨出部１１ａ，１１ａが形成されている。
【００１８】
係合片１１は、カット線Ｌ２および罫線Ｌ３で囲まれている。係合片１１の左右の縁部は、カット線Ｌ２を介して基板１に連設されている。また、係合片１１の下端部は、罫線Ｌ３を介して基板１に連設されている。罫線Ｌ３は、基板１の上縁部（罫線Ｌ１）に平行に形成されている。
【００１９】
係合片１１は、図１，図５に示すように、側板２の係合穴２１に押し込まれる部位である。係合片１１の左右方向の最大幅、即ち、膨出部１１ａ，１１ａにおける最大幅は、係合穴２１の左右方向の最大幅よりも大きく形成されている。別言すれば、係合片１１は、膨出部１１ａ，１１ａを備えている分、係合穴２１よりも幅広となっている。
【００２０】
側板２は、図１に示すように、基板１の上縁部から下方に向けて延びており、罫線Ｌ１を介して基板１の後面に重ねられている。
側板２は、図２に示すように、左右上端角部をアール状とした長方形に形成されており、上下方向よりも左右方向が幾分大きく形成されている。側板２は基板１よりも幅狭に形成されている。
【００２１】
側板２の中央部には、係合穴２１が形成されている。係合穴２１は、上端部（罫線Ｌ１）に向けて窄まる流線形状（スプーン形状）の開口部である（図１参照）。ブランクシートＳの状態では、図３に示すように、係合穴２１は蓋部２１ａによって塞がれている。
係合穴２１内の蓋部２１ａの下縁部は、罫線Ｌ２１を介して側板２に連設されている。罫線Ｌ２１は罫線Ｌ１（基板１または側板２の上縁部）に平行に形成されている。
係合穴２１内の蓋部２１ａの左右の縁部は、カット線Ｌ２２を介して側板２に連設されている。
係合穴２１は、図１に示すように、基板１の後面に側板２を重ねた状態で、基板１の係合片１１に対応する位置に形成されている。図３に示すように、係合穴２１の上端部２３から罫線Ｌ１までの長さは、係合片１１の上端部１３から罫線Ｌ１までの長さと同じ長さに形成されている。
【００２２】
収容部３は、側板３Ａにより形成されている。側板３Ａは基板１の下縁部に罫線Ｌ４を介して連設されている。収容部３は、図１に示すように、階段状の収容段５１を上下に複数段備えている。本実施形態の商品陳列具Ｈでは、収容段５１を１０段備えている。一つの収容段５１には、左右に二つの収容ポケット５０，５０が形成されている。
【００２３】
収容ポケット５０は、図３，図４（ａ）に示すように、左右に間隔を開けて形成された一対のカット線５２，５２によって仕切られている。一対のカット線５２，５２は、上部よりも下部の間隔が狭く形成されている。
【００２４】
一対のカット線５２，５２の内側（収容ポケット５０の内側）には、図３に示すように、カット線５２，５２で分離された帯片５３が形成されている。
帯片５３は、背面部５３ａおよび底面部５３ｂを備えている。
最上段の収容段５１における背面部５３ａは、側板３Ａの上板部３Ａ１に連続しており、上板部３Ａ１と面一に形成されている。底面部５３ｂは、背面部５３ａの下縁部に罫線Ｌ５１を介して連設されている。底面部５３ｂは、背面部５３ａの下縁部から前方に向けて延びている（図４（ａ）参照）。底面部５３ｂは、背面部５３ａに対して鈍角に形成されている（図５参照）。
【００２５】
最上段より下の収容段５１における背面部５３ａは、一段上の帯片５３（底面部５３ｂ）の下縁部に罫線Ｌ５２を介して連設されている。この背面部５３ａは、一段上の帯片５３（底面部５３ｂ）の下縁部から下方に向けて延び、一段上の帯片５３の底面部５３ｂに対して鈍角に形成されている（図５参照）。
【００２６】
罫線Ｌ５１は、図３に示すように、帯片５３の上下方向の中間部において、帯片５３の左右縁部に亘って形成されている。罫線Ｌ５１には切れ込みを備えている。罫線Ｌ５２は、帯片５３の下縁部に沿って（カット線５２，５２の下端部に亘って）形成されている。罫線Ｌ５１および罫線Ｌ５２は、基板１の下縁部の罫線Ｌ４と平行に形成されている。
帯片５３は、図４（ａ）に示すように、罫線Ｌ５１に沿って谷折りされるとともに、罫線Ｌ５２に沿って山折りされ、背面部５３ａおよび底面部５３ｂを形成している。
【００２７】
一対のカット線５２，５２の両外側（収容ポケット５０の外側）には、図３に示すように、カット線５２，５２で分離された上片５４および前片５５が形成されている。
最上段の収容段５１における上片５４は、罫線Ｌ５３を介して側板３Ａの上板部５１Ａ１に連設されている。上片５４は、罫線Ｌ５３に沿って谷折りされ前方に向けて延びている。上片５４は、上板部５１Ａ１に対して鈍角に形成されている（図５参照）。
【００２８】
前片５５は、上片５４の前縁部に罫線Ｌ５４を介して連設されている。前片５５は、罫線Ｌ５４に沿って山折りされ上片５４の前縁部から下方に向けて延びている。前片５５は、上片５４に対して鈍角に形成されている（図５参照）。前片５５の下縁部は、罫線Ｌ５３を介して一段下の上片５４に連設されている（図４（ａ）参照）。
【００２９】
罫線Ｌ５３は、図３に示すように、カット線５２の上端部から側板３Ａの側縁部または隣接する収容ポケット５０のカット線５２の上端部に向けて延在している。罫線Ｌ５４は、カット線５２の上下方向の中間部において、側板３Ａの側縁部または隣接する収容ポケット５０のカット線５２の上下方向の中間部に向けて延在している。罫線Ｌ５３および罫線Ｌ５４は、基板１の下縁部の罫線Ｌ４と平行に形成されている。
【００３０】
前片５５の側方には、図３に示すように、張出部５５ａが一体的に形成されている。張出部５５ａは、収容ポケット５０の前面開口に向けて張り出しており、商品Ｐの脱落を防止する役割をなす（図４（ｂ）参照）。
張出部５５ａの上端部には、上方へ突出する突部５５ｂが形成されている。突部５５ｂは、前片５５の上縁部（罫線Ｌ５４）よりも上方に突出している。張出部５５ａの下部は一段下の帯片５３の背面部５３ａに繋がっている。
【００３１】
このような収容ポケット５０には、図４（ｂ），図５に示すように、商品Ｐが収容される。商品Ｐとしては、例えば、ポーションパック（液状のものを収容した衛生的な使い切り容器）が挙げられる。ポーションパックは、カップ部Ｃと、カップ部Ｃのフランジ部に貼り付けられて蓋部を構成するカバーフィルムＦと、を備えている。
【００３２】
なお、一対のカット線５２，５２の上端および下端には、図３に示すように、アール状の切込５２ｂがカット線５２に連続して形成されている。この切込５２ｂは、ブランクシートＳの状態から収容部３を蛇腹状に折り込む際に、一対のカット線５２，５２の上端および下端から破れが生じるのを防止する役割をなす。
【００３３】
次に、前記した商品陳列具Ｈを用いて商品Ｐを陳列する際の手順について説明する。
本実施形態の商品陳列具Ｈでは、図１，図５に示すように、罫線Ｌ１に沿って基板１の後面に側板２を折り重ねる。
そして、基板１の前面側から係合片１１に指を当て、係合片１１を後方に向けて押し込む。そうすると、係合片１１がカット線Ｌ２（図３参照）で基板１から分離され、罫線Ｌ３を介して後方に倒れる。これにより、側板２の蓋部２１ａが係合片１１に押されてカット線Ｌ２２（図３参照）で分離され、蓋部２１ａが後方に押し退けられる。これによって、開口した係合穴２１に係合片１１が差し込まれる。
【００３４】
係合穴２１の両側縁部には、差し込まれた係合片１１の膨出部１１ａ，１１ａが後面側から当接する。これによって、係合穴２１に対する係合片１１の係合状態が保持される。基板１には、係合片１１を押し込んで形成された基板側係合穴１４が形成される（図５参照）。基板側係合穴１４と係合穴２１とは連通している（図５参照）。
【００３５】
その後、図５に示すように、陳列棚Ｔの側面等に取り付けたフック６０の掛け部６１を係合穴２１および基板側係合穴１４に通し、商品陳列具Ｈを吊下げ陳列する。
【００３６】
なお、本実施形態の商品陳列具Ｈでは、収容部３が蛇腹状に形成されているので、店舗等への配送時には、各収容ポケット５０に商品Ｐを収容した状態で、図６に示すようなコンパクトな形状とすることができる。すなわち、商品陳列具Ｈの収容部３を長手方向に縮めるとともに、基板１および側板２を罫線Ｌ４を介して収容部３側に折り畳むことでコンパクトな形態にして、配送箱Ｂに箱詰めすることができる。したがって、収容性に優れ、効率よく配送することができる。
【００３７】
以上のような商品陳列具Ｈでは、吊下げ陳列時に、基板１に側板２を折り重ねて、係合片１１を係合穴２１に押し込むことで、基板１と側板２とを重ね合わせた状態で結合することができる。これにより、陳列棚Ｔのフック６０に係合穴２１および基板側係合穴１４を介して基板１および側板２の両方を直接引っ掛けることができる。したがって、吊下げが簡単であり、しかも、基板１および側板２の二枚分の強度を活かした吊下げが可能である。また、従来のような吊下げ用の紐や接着剤等を必要としないので、使い勝手がよい。
【００３８】
また、係合片１１は、係合穴２１よりも幅広に形成されているので、係合穴２１に係合片１１を押し込むと、係合片１１の膨出部１１ａ，１１ａが係合穴２１の穴縁に引っ掛かり、係合片１１が係合穴２１に抜け止め保持される。したがって、店舗での吊下げが簡単であり、陳列の手間がかからない。
【００３９】
収容部３は、基板１の下部を蛇腹状に折曲形成した物であり、商品Ｐが収容される収容ポケット５０を備えた収容段５１が上下に複数段形成されているので、多数個の商品Ｐを上下方向に並べて陳列・販売することができる。
【００４０】
以上、本考案の実施形態について説明したが、本考案は前記実施形態に限定されることなく、その趣旨を逸脱しない範囲で適宜に変更が可能である。
例えば、図７に示すように、係合片１１および係合穴２１を左右に３つ形成して、吊下げ強度を向上させてもよい。
この場合には、中央部分に上下方向に延在する切れ込み１５を設けることで、商品陳列具Ｈを左右に分割可能に構成することができる。このように分割可能に構成することで、店舗等における吊下げ陳列の態様に柔軟に対応することができる。
【００４１】
また、前記実施形態では、基板１に係合片１１を設け、側板２に係合穴２１を設けたが、これとは逆に、基板１に係合穴２１を設け、側板２に係合片１１を設けても差し支えない。
【００４２】
また、収容部３は、複数の収容ポケット５０を有する階段状のものを示したが、これに限られることはなく、単数の収容ポケット５０を有するものや、階段状以外の形態のものも採用することができる。また、収容ポケット５０は、商品Ｐを収容することのできるものであればよく、種々の形態のものを採用することができる。
【００４３】
また、商品陳列具Ｈは、厚紙製のものを示したが、所望の商品Ｐを吊下げて陳列できるものであればよく、段ボール製のシート等、種々の材料を用いることができる。
【符号の説明】
【００４４】
１      基板
２      側板
３      収容部
１１    係合片
２１    係合穴
５０    収容ポケット
５１    収容段
Ｌ１    罫線
Ｈ      商品陳列具
Ｐ      商品
Ｓ      ブランクシート
Ｔ      陳列棚
【図１】
0003202236.tif 000003
【図２】
0003202236.tif 000004
【図３】
0003202236.tif 000005
【図４】
0003202236.tif 000006
【図５】
0003202236.tif 000007
【図６】
0003202236.tif 000008
【図７】
0003202236.tif 000009